(57)【要約】【課題】ヘッドホン音質のカスタマイゼーションを提供すること。【解決手段】プロセッサは、ヘッドホン検査アプリケーションを実行して、複数のヘッドホンモデルのうちの第１のヘッドホンモデルを、接続ヘッドホンのヘッドホン特性と複数のヘッドホンモデルのうちの第１のヘッドホンモデルのヘッドホン特性とを用いて模擬することと、複数のヘッドホンモデルのうちの第２のヘッドホンモデルを、接続ヘッドホンのヘッドホン特性と複数のヘッドホンモデルのうちの第２のヘッドホンモデルのヘッドホン特性とを用いて模擬することと、複数のヘッドホンモデルのうちの第１のヘッドホンモデルと複数のヘッドホンモデルのうちの第２のヘッドホンモデルとに対するユーザ選好に関するユーザ入力を受け取ることと、ユーザ入力によりどのヘッドホンモデルが最も高いスコアを取ったかを示す結果を得ることと、を行うようにプログラムされている。【選択図】なし【特許請求の範囲】
【請求項１】
ヘッドホン検査システムであって、
ヘッドホン検査アプリケーションと、前記ヘッドホン検査システムに接続されたヘッドホンのヘッドホン特性と、検査すべき複数のヘッドホンモデルのヘッドホン特性とを記憶するメモリと、
プロセッサであって、前記ヘッドホン検査アプリケーションを実行して、
前記複数のヘッドホンモデルのうちの第１のヘッドホンモデルを、前記接続ヘッドホンの前記ヘッドホン特性と前記複数のヘッドホンモデルのうちの前記第１のヘッドホンモデルの前記ヘッドホン特性とを用いて模擬することと、
前記複数のヘッドホンモデルのうちの第２のヘッドホンモデルを、前記接続ヘッドホンの前記ヘッドホン特性と前記複数のヘッドホンモデルのうちの前記第２のヘッドホンモデルの前記ヘッドホン特性とを用いて模擬することと、
前記複数のヘッドホンモデルのうちの前記第１のヘッドホンモデルと前記複数のヘッドホンモデルのうちの前記第２のヘッドホンモデルとに対するユーザ選好に関するユーザ入力を受け取ることと、
前記ユーザ入力によりどのヘッドホンモデルが最も高いスコアを取ったかを示す結果を得ることと、を行うようにプログラムされた前記プロセッサと、を含む前記システム。
【請求項２】
前記プロセッサはさらに、
前記接続ヘッドホンと検査すべき前記複数のヘッドホンモデルのうちの前記第１のヘッドホンモデルとの間で、周波数応答に第１の差を生成することと、
前記複数のヘッドホンモデルのうちの前記第１のヘッドホンモデルを、前記周波数応答の第１の差により等化された前記接続ヘッドホンを通して第１のオーディオプログラムを再生することによって模擬することと、
前記接続ヘッドホンと検査すべき前記複数のヘッドホンモデルのうちの前記第２のヘッドホンモデルとの間で、周波数応答に第２の差を生成することと、
前記複数のヘッドホンモデルのうちの前記第１のヘッドホンモデルを、前記周波数応答の第２の差により等化された前記接続ヘッドホンを通して第２のオーディオプログラムを再生することによって模擬することと、を行うようにプログラムされている、請求項１に記載のシステム。
【請求項３】
前記プロセッサはさらに、前記結果により最も高いスコアを取ったヘッドホンモデルを購入するオプションを与えるようにプログラムされている請求項１に記載のシステム。
【請求項４】
前記プロセッサはさらに、前記接続ヘッドホンとして用いるようにレプリケータヘッドホンを購入するオプションを与えるようにプログラムされている請求項１に記載のシステム。
【請求項５】
前記プロセッサはさらに、リモートサーバにアクセスして前記ヘッドホン特性を受け取るようにプログラムされている請求項１に記載のシステム。
【請求項６】
前記ヘッドホン特性は、前記接続ヘッドホンの周波数応答測定値と検査すべき前記複数のヘッドホンモデルの周波数応答測定値とを含む請求項１に記載のシステム。
【請求項７】
前記結果は、少なくとも、検査された前記複数のヘッドホンモデルのうちの前記第１のヘッドホンモデルと前記複数のヘッドホンモデルのうちの前記第２のヘッドホンモデルとに対して決定された相対スコアの説明図を含む請求項１に記載のシステム。
【請求項８】
前記結果はさらに、検査された前記複数のヘッドホンモデルのうちの前記第１のヘッドホンモデルと前記複数のヘッドホンモデルのうちの前記第２のヘッドホンモデルとのうちの１つ以上を購入するオプションを含む請求項１に記載のシステム。
【請求項９】
ヘッドホンを検査するための方法であって、
検査すべき複数のヘッドホンモデルの選択を受け取ることと、
レプリケータヘッドホンを用いて、前記複数のヘッドホンモデルのそれぞれを、ランダム化された順序で模擬して、目隠しリスニング検査を実行することと、
前記ヘッドホンモデルに対するユーザ選好に関する１つ以上のユーザ入力を受け取ることと、
検査すべき前記複数のヘッドホンモデルのそれぞれに対する選好スコアを示す検査結果を得ることであって、それぞれの選好スコアは、前記複数のヘッドホンモデルのうちの対応するヘッドホンモデルを購入するオプションを伴う、前記得ることと、を含む前記方法。
【請求項１０】
さらに、
ログインしたユーザのユーザプロファイルから人口統計情報を特定することと、
前記人口統計情報と前記検査結果とをサーバに送ることと、
対応する人口統計情報を伴う他のユーザを考慮して前記検査結果に関する分析を与えることと、を含む請求項９に記載の方法。
【請求項１１】
さらに、検査すべき前記複数のヘッドホンモデルのそれぞれに対して、
前記レプリケータヘッドホンと検査すべき前記対応するヘッドホンモデルとの間で、周波数応答に差を生成することと、
前記対応するヘッドホンモデルを、前記周波数応答の差により等化された前記レプリケータヘッドホンを通してオーディオプログラムを再生することによって模擬することと、を含む請求項９に記載の方法。
【請求項１２】
前記結果により最も好ましかったヘッドホンモデルを購入するオプションを与えることをさらに含む請求項９に記載の方法。
【請求項１３】
検査すべき前記複数のヘッドホンモデルの選好検査を実行するために用いるレプリケータヘッドホンを購入するオプションを与えることをさらに含む請求項９に記載の方法。
【請求項１４】
リモートサーバにアクセスして、前記レプリケータヘッドホンと検査すべき前記複数のヘッドホンモデルとのヘッドホン特性を受け取ることをさらに含む請求項９に記載の方法。
【請求項１５】
前記ヘッドホン特性は、前記レプリケータヘッドホンと検査すべき前記複数のヘッドホンモデルとの周波数応答測定値を含む請求項１４に記載の方法。
【請求項１６】
前記結果は、前記複数のヘッドホンモデルに対して決定された相対スコアの説明図を含む請求項９に記載の方法。
【請求項１７】
前記結果はさらに、検査した前記複数のヘッドホンモデルを購入するためのオプションを含む請求項９に記載の方法。
【請求項１８】
ヘッドホン検査アプリケーションの命令を含む非一時的なコンピュータ可読媒体であって、前記命令は、コンピューティング装置のプロセッサによって実行されたときに、前記コンピューティング装置に、
前記コンピューティング装置からオーディオを受け取るレプリケータヘッドホンを通して、検査すべき複数のヘッドホンモデルの選択を受け取ることと、
前記複数のヘッドホンモデルのそれぞれを、ランダム化された順序で模擬して、目隠しリスニング検査を実行することであって、検査すべき対応するヘッドホンモデルのそれぞれに対して、前記レプリケータヘッドホンと検査すべき前記対応するヘッドホンモデルとの間で、周波数応答に差を生成することと、前記対応するヘッドホンモデルを、前記周波数応答の差により等化された前記レプリケータヘッドホンを通してオーディオプログラムを再生することによって模擬することと、を含む、前記実行することと、
前記ヘッドホンを通して前記オーディオプログラムを再生することに対応して、前記ヘッドホンモデルに対するユーザ選好に関するユーザ入力を受け取ることと、
前記複数のヘッドホンモデルのそれぞれに対する選好スコアを示す検査結果を得ることであって、それぞれの選好スコアは、前記対応するヘッドホンモデルを購入するオプションを伴う、前記得ることと、を行わせる前記非一時的なコンピュータ可読媒体。
【発明の詳細な説明】
【技術分野】
【０００１】
本開示の態様は全般的に、ヘッドホン音質のカスタマイゼーションに関する。
【背景技術】
【０００２】
物品を被験者の選好または予想からの影響を受けずに比較しなければならないときに、目隠し検査が用いられる。目隠し検査は、ブランディング及び検査してはならない他の特性からの影響を回避しようとしながら、ユーザバイアスを客観的に評価する商品の比較検査において有用な場合がある。特にオーディオ製品の場合、目明き及び目隠しリスニング検査では著しく異なる音質評価をする傾向がある。
【発明の概要】
【課題を解決するための手段】
【０００３】
１つ以上の例示的な実施形態において、ヘッドホン検査システムは、ヘッドホン検査アプリケーションと、ヘッドホン検査器システムに接続されたヘッドホンのヘッドホン特性と、検査すべき複数のヘッドホンモデルのヘッドホン特性とを記憶するメモリを含んでいる。プロセッサは、ヘッドホン検査アプリケーションを実行して、複数のヘッドホンモデルのうちの第１のヘッドホンモデルを、接続ヘッドホンのヘッドホン特性と複数のヘッドホンモデルのうちの第１のヘッドホンモデルのヘッドホン特性とを用いて模擬することと、複数のヘッドホンモデルのうちの第２のヘッドホンモデルを、接続ヘッドホンのヘッドホン特性と複数のヘッドホンモデルのうちの第２のヘッドホンモデルのヘッドホン特性とを用いて模擬することと、複数のヘッドホンモデルのうちの第１のヘッドホンモデルと複数のヘッドホンモデルのうちの第２のヘッドホンモデルとに対するユーザ選好に関するユーザ入力を受け取ることと、ユーザ入力によりどのヘッドホンモデルが最も高いスコアを取ったかを示す結果を得ることと、を行うようにプログラムされている。
【０００４】
１つ以上の例示的な実施形態では、ヘッドホンを検査するための方法は、検査すべき複数のヘッドホンモデルの選択を受け取ることと、レプリケータヘッドホンを用いて、複数のヘッドホンモデルのそれぞれを、ランダム化された順序で模擬して、目隠しリスニング検査を実行することと、ヘッドホンモデルに対するユーザ選好に関する１つ以上のユーザ入力を受け取ることと、検査すべき複数のヘッドホンモデルのそれぞれに対する選好スコアを示す検査結果を得ることであって、それぞれの選好スコアは、複数のヘッドホンモデルのうちの対応するヘッドホンモデルを購入するオプションを伴う、得ることと、を含む。
【０００５】
１つ以上の例示的な実施形態では、ヘッドホン検査アプリケーションの命令を含む非一時的なコンピュータ可読媒体であって、命令は、コンピューティング装置のプロセッサによって実行されたときに、この装置に、コンピューティング装置からオーディオを受け取るレプリケータヘッドホンを通して、検査すべき複数のヘッドホンモデルの選択を受け取ることと、複数のヘッドホンモデルのそれぞれを、ランダム化された順序で模擬して、目隠しリスニング検査を実行することであって、検査すべき対応するヘッドホンモデルのそれぞれに対して、レプリケータヘッドホンと検査すべき対応するヘッドホンモデルとの間で、周波数応答に差を生成することと、対応するヘッドホンモデルを、周波数応答の差により等化されたレプリケータヘッドホンを通してオーディオプログラムを再生することによって模擬することと、を含む、実行することと、ヘッドホンを通してオーディオプログラムを再生することに対応して、ヘッドホンモデルに対するユーザ選好に関するユーザ入力を受け取ることと、複数のヘッドホンモデルのそれぞれに対する選好スコアを示す検査結果を得ることであって、それぞれの選好スコアは、対応するヘッドホンモデルを購入するオプションを伴う、得ることと、を行わせる。
本願明細書は、例えば、以下の項目も提供する。
（項目１）
ヘッドホン検査システムであって、
ヘッドホン検査アプリケーションと、上記ヘッドホン検査システムに接続されたヘッドホンのヘッドホン特性と、検査すべき複数のヘッドホンモデルのヘッドホン特性とを記憶するメモリと、
プロセッサであって、上記ヘッドホン検査アプリケーションを実行して、
上記複数のヘッドホンモデルのうちの第１のヘッドホンモデルを、上記接続ヘッドホンの上記ヘッドホン特性と上記複数のヘッドホンモデルのうちの上記第１のヘッドホンモデルの上記ヘッドホン特性とを用いて模擬することと、
上記複数のヘッドホンモデルのうちの第２のヘッドホンモデルを、上記接続ヘッドホンの上記ヘッドホン特性と上記複数のヘッドホンモデルのうちの上記第２のヘッドホンモデルの上記ヘッドホン特性とを用いて模擬することと、
上記複数のヘッドホンモデルのうちの上記第１のヘッドホンモデルと上記複数のヘッドホンモデルのうちの上記第２のヘッドホンモデルとに対するユーザ選好に関するユーザ入力を受け取ることと、
上記ユーザ入力によりどのヘッドホンモデルが最も高いスコアを取ったかを示す結果を得ることと、を行うようにプログラムされた上記プロセッサと、を含む上記システム。
（項目２）
上記プロセッサはさらに、
上記接続ヘッドホンと検査すべき上記複数のヘッドホンモデルのうちの上記第１のヘッドホンモデルとの間で、周波数応答に第１の差を生成することと、
上記複数のヘッドホンモデルのうちの上記第１のヘッドホンモデルを、上記周波数応答の第１の差により等化された上記接続ヘッドホンを通して第１のオーディオプログラムを再生することによって模擬することと、
上記接続ヘッドホンと検査すべき上記複数のヘッドホンモデルのうちの上記第２のヘッドホンモデルとの間で、周波数応答に第２の差を生成することと、
上記複数のヘッドホンモデルのうちの上記第１のヘッドホンモデルを、上記周波数応答の第２の差により等化された上記接続ヘッドホンを通して第２のオーディオプログラムを再生することによって模擬することと、を行うようにプログラムされている、上記項目に記載のシステム。
（項目３）
上記プロセッサはさらに、上記結果により最も高いスコアを取ったヘッドホンモデルを購入するオプションを与えるようにプログラムされている上記項目のいずれかに記載のシステム。
（項目４）
上記プロセッサはさらに、上記接続ヘッドホンとして用いるようにレプリケータヘッドホンを購入するオプションを与えるようにプログラムされている上記項目のいずれかに記載のシステム。
（項目５）
上記プロセッサはさらに、リモートサーバにアクセスして上記ヘッドホン特性を受け取るようにプログラムされている上記項目のいずれかに記載のシステム。
（項目６）
上記ヘッドホン特性は、上記接続ヘッドホンの周波数応答測定値と検査すべき上記複数のヘッドホンモデルの周波数応答測定値とを含む上記項目のいずれかに記載のシステム。
（項目７）
上記結果は、少なくとも、検査された上記複数のヘッドホンモデルのうちの上記第１のヘッドホンモデルと上記複数のヘッドホンモデルのうちの上記第２のヘッドホンモデルとに対して決定された相対スコアの説明図を含む上記項目のいずれかに記載のシステム。
（項目８）
上記結果はさらに、検査された上記複数のヘッドホンモデルのうちの上記第１のヘッドホンモデルと上記複数のヘッドホンモデルのうちの上記第２のヘッドホンモデルとのうちの１つ以上を購入するオプションを含む上記項目のいずれかに記載のシステム。
（項目９）
ヘッドホンを検査するための方法であって、
検査すべき複数のヘッドホンモデルの選択を受け取ることと、
レプリケータヘッドホンを用いて、上記複数のヘッドホンモデルのそれぞれを、ランダム化された順序で模擬して、目隠しリスニング検査を実行することと、
上記ヘッドホンモデルに対するユーザ選好に関する１つ以上のユーザ入力を受け取ることと、
検査すべき上記複数のヘッドホンモデルのそれぞれに対する選好スコアを示す検査結果を得ることであって、それぞれの選好スコアは、上記複数のヘッドホンモデルのうちの対応するヘッドホンモデルを購入するオプションを伴う、上記得ることと、を含む上記方法。
（項目１０）
さらに、
ログインしたユーザのユーザプロファイルから人口統計情報を特定することと、
上記人口統計情報と上記検査結果とをサーバに送ることと、
対応する人口統計情報を伴う他のユーザを考慮して上記検査結果に関する分析を与えることと、を含む上記項目のいずれかに記載の方法。
（項目１１）
さらに、検査すべき上記複数のヘッドホンモデルのそれぞれに対して、
上記レプリケータヘッドホンと検査すべき上記対応するヘッドホンモデルとの間で、周波数応答に差を生成することと、
上記対応するヘッドホンモデルを、上記周波数応答の差により等化された上記レプリケータヘッドホンを通してオーディオプログラムを再生することによって模擬することと、を含む上記項目のいずれかに記載の方法。
（項目１２）
上記結果により最も好ましかったヘッドホンモデルを購入するオプションを与えることをさらに含む上記項目のいずれかに記載の方法。
（項目１３）
検査すべき上記複数のヘッドホンモデルの選好検査を実行するために用いるレプリケータヘッドホンを購入するオプションを与えることをさらに含む上記項目のいずれかに記載の方法。
（項目１４）
リモートサーバにアクセスして、上記レプリケータヘッドホンと検査すべき上記複数のヘッドホンモデルとのヘッドホン特性を受け取ることをさらに含む上記項目のいずれかに記載の方法。
（項目１５）
上記ヘッドホン特性は、上記レプリケータヘッドホンと検査すべき上記複数のヘッドホンモデルとの周波数応答測定値を含む上記項目のいずれかに記載の方法。
（項目１６）
上記結果は、上記複数のヘッドホンモデルに対して決定された相対スコアの説明図を含む上記項目のいずれかに記載の方法。
（項目１７）
上記結果はさらに、検査した上記複数のヘッドホンモデルを購入するためのオプションを含む上記項目のいずれかに記載の方法。
（項目１８）
ヘッドホン検査アプリケーションの命令を含む非一時的なコンピュータ可読媒体であって、上記命令は、コンピューティング装置のプロセッサによって実行されたときに、上記コンピューティング装置に、
上記コンピューティング装置からオーディオを受け取るレプリケータヘッドホンを通して、検査すべき複数のヘッドホンモデルの選択を受け取ることと、
上記複数のヘッドホンモデルのそれぞれを、ランダム化された順序で模擬して、目隠しリスニング検査を実行することであって、検査すべき対応するヘッドホンモデルのそれぞれに対して、上記レプリケータヘッドホンと検査すべき上記対応するヘッドホンモデルとの間で、周波数応答に差を生成することと、上記対応するヘッドホンモデルを、上記周波数応答の差により等化された上記レプリケータヘッドホンを通してオーディオプログラムを再生することによって模擬することと、を含む、上記実行することと、
上記ヘッドホンを通して上記オーディオプログラムを再生することに対応して、上記ヘッドホンモデルに対するユーザ選好に関するユーザ入力を受け取ることと、
上記複数のヘッドホンモデルのそれぞれに対する選好スコアを示す検査結果を得ることであって、それぞれの選好スコアは、上記対応するヘッドホンモデルを購入するオプションを伴う、上記得ることと、を行わせる上記非一時的なコンピュータ可読媒体。
（摘要）
ヘッドホン検査システムは、ヘッドホン検査アプリケーションと、ヘッドホン検査器システムに接続されたヘッドホンのヘッドホン特性と、検査すべき複数のヘッドホンモデルのヘッドホン特性とを記憶するメモリを含む。プロセッサは、ヘッドホン検査アプリケーションを実行して、複数のヘッドホンモデルのうちの第１のヘッドホンモデルを、接続ヘッドホンのヘッドホン特性と複数のヘッドホンモデルのうちの第１のヘッドホンモデルのヘッドホン特性とを用いて模擬することと、複数のヘッドホンモデルのうちの第２のヘッドホンモデルを、接続ヘッドホンのヘッドホン特性と複数のヘッドホンモデルのうちの第２のヘッドホンモデルのヘッドホン特性とを用いて模擬することと、複数のヘッドホンモデルのうちの第１のヘッドホンモデルと複数のヘッドホンモデルのうちの第２のヘッドホンモデルとに対するユーザ選好に関するユーザ入力を受け取ることと、ユーザ入力によりどのヘッドホンモデルが最も高いスコアを取ったかを示す結果を得ることと、を行うようにプログラムされている。
【図面の簡単な説明】
【０００６】
【図１】仮想ヘッドホンリスニング検査を行うためのシステム例を例示する図である。
【図２】ヘッドホン検査アプリケーションにログインするためのユーザインターフェース例を例示する図である。
【図３】現在接続されているヘッドホンの選択を受け取るためのユーザインターフェース例を例示する図である。
【図４】行うべきヘッドホン検査のパラメータの選択を受け取るためのユーザインターフェース例を例示する図である。
【図５】ヘッドホン選好検査を行うためのユーザインターフェース例を例示する図である。
【図６】選好検査の結果を含むレポートを表示するためのユーザインターフェース例を例示する図である。
【図７】接続ヘッドホンの音カスタマイゼーションを行うためのユーザインターフェース例を例示する図である。
【図８】ヘッドホン音質をカスタマイゼーションするためのプロセス例を例示する図である。
【発明を実施するための形態】
【０００７】
必要に応じて、本発明の詳細な実施形態を本明細書で開示するが、当然のことながら、開示される実施形態は単に本発明の典型であり、種々及び代替的な形態で具体化してもよい。図は必ずしも一定の比率ではない。特徴によっては特定の構成部品の詳細を示すために誇張または最小限にしている場合がある。したがって、本明細書で開示する具体的な構造上及び機能上の詳細は、限定と解釈してはならず、単に当業者に本発明を様々に用いることを教示するための代表的な根拠と解釈すべきである。
【０００８】
オーディオ製品は、種々のウェブサイトまたは供給チャネルを通してオンラインで販売されている場合がある。便利である一方で、このような販売は消費者に複数の製品を試聴及び比較する機会を与えることができない。消費者は製品レビューを考慮する場合があるが、消費者はどの具体的な製品の音が最良であるかまたは消費者の個人の趣向に最も合うのかの決定ができない場合がある。また消費者は、自分達のヘッドホンの音を自分達の個人の趣向に合うようにカスタマイズする機会がほとんどない場合がある。
【０００９】
ヘッドホン検査アプリケーションを設けて、消費者が、異なるヘッドホンの音特性を、消費者の既存のヘッドホンを通して比較できる場合がある。またアプリケーションによって、消費者が最も好むモデルを消費者が選択（及び購入さえ）することができる場合がある。こうして、ヘッドホンアプリケーションをヘッドホンのインターネット小売業者ならびに店舗販売の小売業者が用いてもよい。
【００１０】
付加的にまたは代替的に、アプリケーションによって、消費者が自分の既存のヘッドホンの音特性を、個人的な好ましい音プロファイルに従ってカスタマイズすることができる場合がある。音プロファイルの生成は、アプリケーションによって、ヘッドホンアプリケーションに記憶されているかまたはそのヘッドホン内のメモリに記憶されているカスタマイズされた補正設定を与える一連の検査を行うことによって行ってもよい。一例では、これらのカスタマイズされた補正設定を、ヘッドホンのプログラム可能なフィルタを介してヘッドホンに適用してもよい。一例では、ヘッドホンフィルタを無線通信を経由してプログラムしてもよい。別の例では、フィルタのプログラミングを、有線接続を介して、たとえばユニバーサルシリアルバス（ＵＳＢ）接続を介して行ってもよい。
【００１１】
一例では、ヘッドホン検査アプリケーションを、標準的なウェブプログラミングツール（たとえば、ハイパーテキストマークアップ言語５（ＨＴＭＬ５）、ＪａｖａＳｃｒｉｐｔ（登録商標）、及びＡｕｄｉｏ  Ｗｅｂ  Ｔｏｏｌ）を用いてウェブアプリケーションとして実施して、アプリケーションがラップトップ、タブレット、または携帯電話上で管理できるようにしてもよい。
【００１２】
ヘッドホンアプリケーションは、消費者の音質選好に関するデータを収集してもよく、また分析用にサーバにデータを与えてもよい。サーバはデータを用いて、聴取者のヘッドホン音質選好、音楽選好、及びそれらが重要な人口統計因子（年齢、性別、文化、難聴）によってどのように影響され得るのかについての新しい知識及び洞察を得てもよい。したがって、このデータを用いて、消費者が望んでいるもの、及び消費者ニーズを満たすヘッドホンをより良好にデザインする方法についてより良好に理解してもよい。一例では、聴取者ヘッドホン音質選好についての研究開発を行うことを望んでいるヘッドホン製造業者及び研究者が、将来のヘッドホンモデルのデザインに対するデータ源としてヘッドホンアプリケーションを用いてもよい。また、ユーザに与えられる分析は、ヘッドホン熱狂者にとって有用な場合がある。開示内容のさらなる態様について以下に詳細に説明する。
【００１３】
図１に例示するのは、ヘッドホン検査アプリケーション１３４を実施して仮想ヘッドホンリスニング検査を実行するコンピューティング装置１０２に対するシステム例１００である。コンピューティング装置１０２は、オーディオ源１０４またはオーディオ入力を介してオーディオを選択し、処理すべきオーディオをオーディオプロセッサ１０８に渡す。オーディオプロセッサ１０８からのオーディオ出力をデジタルアナログ（Ｄ／Ａ）コンバータ１１２及び増幅器１１４に通して、ヘッドホン１１６によって再現してもよい。またコンピューティング装置１０２は、オーディオプロセッサ１０８に接続されたコントローラ１１８であって、仮想ヘッドホンリスニング検査の性能をヘッドホン検査アプリケーション１３４を介して管理するように構成されたコントローラ１１８を含んでいる。コントローラ１１８は、再生するオーディオ源及び模擬するヘッドホンを決定し、オーディオプロセッサ１０８に、オーディオを処理して、模擬したヘッドホンのそれに適合するように命令する。またコントローラ１１８は、無線送受信部１２４に接続して機能して、通信ネットワーク１２６を介した通信を容易にし、リモートサーバ１２８に結果を与える。多くの例において、コントローラ１１８はまた、１つ以上のヒューマンマシンインターフェース（ＨＭＩ）制御１３０に接続されてユーザ入力を受け取り、ならびにディスプレイスクリーン１３２に接続されて視覚出力を与える。なお、例示したシステム１００は単に一例であり、より多い、より少ない、及び／または別の仕方で配置された要素を用いてもよいことに留意されたい。
【００１４】
オーディオ源１０４は、ヘッドホン検査において用いてもよい記録（たとえば音楽プログラム）であってもよい。一例では、オーディオ源１０４は、コンパクトディスクからデジタル的にコピーされて短時間の１０〜２０秒ループに編集された１つ以上のステレオトラックを含んでいてもよい。これらのループまたは他の発生した音を、本明細書では記録と言う場合があり、検査で用いるオーディオ出力を供給するために用いてもよい。いくつかの例では、オーディオ源１０４はデジタルの代わりにアナログであってもよく、このような場合、システムはさらにアナログデジタル（Ａ／Ｄ）コンバータ１０６を含んでいてもよい。アナログデジタル（Ａ／Ｄ）コンバータ１０６は、信号をアナログ形式からデジタル形式に変換してオーディオプロセッサ１０８によるさらなる処理に備える。
【００１５】
１つのみを示しているが、１つ以上のオーディオプロセッサ１０８がコンピューティング装置１０２内に含まれていてもよい。オーディオプロセッサ１０８は、オーディオ及び／またはビデオ信号を処理することができる１つ以上のコンピューティング装置であってもよい。たとえばコンピュータプロセッサ、マイクロプロセッサ、デジタル信号プロセッサ、または任意の他の装置、一連の装置、または他のメカニズムであって、論理演算を行うことができるものである。オーディオプロセッサ１０８は、メモリ１１０と共同して動作してメモリ１１０に記憶された命令を実行してもよい。命令は、ソフトウェア、ファームウェア、コンピュータコード、またはそれらの何らかの組み合わせの形態であってもよく、またオーディオプロセッサ１０８によって実行されたときに、ヘッドホン仮想化機能ならびにユーザが好み得る製品の推薦をもたらしてもよい。メモリ１１０は任意の形態の１つ以上のデータ記憶装置であってもよく、たとえば、揮発性メモリ、不揮発性メモリ、電子メモリ、磁気メモリ、光メモリ、または任意の他の形態のデータ記憶装置である。命令に加えて、動作パラメータ及びデータもメモリ１１０に記憶してもよい。たとえば、テキストデータからスピードを形成するための音素の語彙である。
【００１６】
Ｄ／Ａコンバータ１１２は、オーディオプロセッサ１０８からデジタル出力信号を受け取って、それをデジタル形式からアナログ形式の出力信号に変換する。そして出力信号は、さらなる処理のために増幅器１１４または他のアナログ部品が用いることに利用できてもよい。
【００１７】
増幅器１１４は、相対的に小さい大きさのオーディオ入力信号受け取って、相対的に大きい大きさの同様のオーディオ信号を出力する任意の回路またはスタンドアローン装置であってもよい。オーディオ入力信号を増幅器１１４が受け取って、１つ以上の接続上でヘッドホン１１６に出力してもよい。増幅器１１４は、ヘッドホン１１６に与えられるオーディオ信号のボリューム、バランス、及び／またはフェードを調整する能力を含んでいてもよい。さらに他の例では、ヘッドホン１１６は増幅器１１４を含んで、ヘッドホン１１６が電源内蔵式となっていてもよい。ヘッドホン１１６は、１人以上のユーザが用いるのに適したインナーイヤーまたはオーバーイヤーヘッドホンであってもよい。
【００１８】
コントローラ１１８は、本明細書で説明するコンピューティング装置１０２の機能の性能を支持する種々のタイプのコンピューティング装置を含んでいてもよい。一例では、コントローラ１１８は、コンピュータ命令を実行するように構成された１つ以上のプロセッサ１２０と、コンピュータ実行可能命令及び／またはデータが保持され得る記憶媒体１２２とを含んでいてもよい。コンピュータ可読記憶媒体（プロセッサ読み取り可能な媒体または記憶装置１２２とも言われる）は、コンピュータによって（たとえば、プロセッサ（複数可）１２０によって）読まれ得るデータ（たとえば、命令）を与えることに関与する任意の非一時的な（たとえば、有形の）媒体を含む。全般的に、プロセッサ１２０は命令及び／またはデータを、たとえば記憶装置１２２などから受け取ってメモリへ入れ、データを用いて命令を実行し、その結果、１つ以上のプロセス（本明細書で説明したプロセスの１つ以上を含む）を行う。コンピュータ実行可能命令は、種々のプログラミング言語及び／または技術を用いて形成されたコンピュータプログラムからコンパイルまたはインタープリットしてもよい。プログラミング言語及び／または技術はたとえば、限定することなく、単独でまたは組み合わせて、Ｊａｖａ（登録商標）、Ｃ、Ｃ＋＋、Ｃ＃、Ａｓｓｅｍｂｌｙ、Ｆｏｒｔｒａｎ、Ｐａｓｃａｌ、Ｖｉｓｕａｌ  Ｂａｓｉｃ、Ｐｙｔｈｏｎ、Ｊａｖａ  Ｓｃｒｉｐｔ（登録商標）、Ｐｅｒｌ、ＰＬ／ＳＱＬなどである。
【００１９】
図示したように、コントローラ１１８は、無線送受信部１２４、または他のネットワークハードウェアであって、通信ネットワーク１２６（たとえばサーバ１２８）を介したコントローラ１１８と他のネットワークデバイスとの間の通信を容易にするように構成されたものを含んでいてもよい。１つの可能性として、無線送受信部１２４は、セルラー電話ネットワークを介してデータを通信するように構成されたセルラーネットワーク送受信装置であってもよい。別の可能性として、無線送受信部１２４は、ローカルエリア無線ネットワークに接続して通信ネットワーク１２６にアクセスするように構成されたＷｉ−Ｆｉ送受信装置であってもよい。
【００２０】
コントローラ１１８は、ヒューマンマシンインターフェース（ＨＭＩ）制御１３０から入力を受け取って、コンピューティング装置１０２とのユーザのやり取りをもたしてもよい。たとえば、コントローラ１１８は、コントローラ１１８の機能を呼び出すように構成された１つ以上のボタンまたは他のＨＭＩ制御１３０と接続して機能してもよい。またコントローラ１１８は、ユーザにたとえばビデオコントローラを経由して視覚出力を与えるように構成された１つ以上のディスプレイ１３２を駆動するかまたはこれと他の方法で通信してもよい。ある場合には、ディスプレイ１３２は、さらにビデオコントローラ１１８を介してユーザタッチ入力を受け取るように構成されたタッチスクリーンであってもよく、別の場合では、ディスプレイ１３２はディスプレイのみ（タッチ入力能力がない）であってもよい。
【００２１】
ヘッドホン検査アプリケーション１３４は、コンピューティング装置１０２のコントローラ１１８のプロセッサ１２０によって実行されるソフトウェアアプリケーションの例である。ある例では、ヘッドホン検査アプリケーション１３４を記憶装置１２２上に予めロードしてもよい。他の例では、ヘッドホン検査アプリケーション１３４を通信ネットワーク１２６を介してコンピューティング装置１０２にダウンロードして実行してもよい。１つの可能性として、ヘッドホン検査アプリケーション１３４を、標準的なウェブプログラミングツールを用いてウェブアプリケーションとして実施してもよい。ウェブプログラミングツールは、たとえば、ハイパーテキストマークアップ言語５（ＨＴＭＬ５）、ＪａｖａＳｃｒｉｐｔ（登録商標）、及びＡｕｄｉｏ  Ｗｅｂ  Ｔｏｏｌであり、サーバ１２８から通信ネットワーク１２６を介してアクセスしてもよい。一例では、ディスプレイ１３２を用いてヘッドホン検査アプリケーション１３４のスクリーンをもたらしてもよく、一方で、ＨＭＩ制御１３０を用いて、ヘッドホン検査アプリケーション１３４に与えるべき入力を受け取ってもよい。
【００２２】
実行時に、ヘッドホン検査アプリケーション１３４を、ヘッドホン検査を管理し、ヘッドホンを模擬するための有限入力応答（ＦＩＲ）フィルタを実施し、聴取者評価を収集するように構成してもよい。ヘッドホン検査アプリケーション１３４はさらに、聴取者の評価の記憶及び分析、ならびに通信ネットワーク１２６を介した聴取者検査結果のオフロードを与えるように構成してもよい。またヘッドホン検査アプリケーション１３４は、ユーザのヘッドホン１１６のカスタマイゼーション、ならびにユーザの選好に一致するヘッドホン１１６モデルの購入の円滑化をもたらしてもよい。
【００２３】
ヘッドホン特性１３６は、種々のヘッドホン１１６セットの可聴特性を特定する情報を含んでいてもよい。これらのヘッドホン特性１３６は、いくつかの例として、漏れ特性及び周波数応答特性を含んでいてもよい。一例では、ヘッドホン特性１３６の測定を、埋め込み式疑似耳を用いて記録した複数の周波数応答の平均値を用いて行ってもよい。１つの具体例では、ＧＲＡＳ  ４３ＡＧ  Ｅａｒ  ａｎｄ  ＣｈｅｅｋカプラにＩＥＣ７１１カプラを備え付けたものを用いて、種々のモデルのヘッドホン１１６の周波数応答を記録してもよい。多くの例において、ヘッドホン特性１３６はさらに、ヘッドホン１１６についての付加情報（たとえば、製造元及びヘッドホンのモデル、及び／または製造元及びヘッドホン１１６のモデルの一意の識別子）を含んでいてもよい。
【００２４】
接続ヘッドホン識別子１３８は、コンピューティング装置１０２に接続された現在のヘッドホン１１６対の識別子であってもよい。一例では、ヘッドホン１１６は、規定された周波数応答を伴う標準化されたヘッドホン対であってもよい。いくつかの例では、ヘッドホン１１６は、コンピューティング装置１０２にとって利用可能なヘッドホン特性１３６からユーザが選択したタイプであってもよい。
【００２５】
場合によっては、ヘッドホン１１６は、漏れ効果を測定及び制御するために、正常に動作するヘッドホン１１６にＭＥＭマイクロホンを備え付けたものであってもよい。このような標準化されたヘッドホンは、場合によって、レプリケータヘッドホンと言ってもよい。レプリケータヘッドホン１１６は、規定された周波数応答及び規定された漏れパラメータの両方を有していてもよい。レプリケータヘッドホン１１６を用いて、周波数応答及び規定された漏れの両方を含むヘッドホン特性１３６に従ってヘッドホンを仮想化してもよい。したがって、この結果、漏れ測定を行わずにヘッドホン１１６を用いた場合と比べてより正確で信頼性の高い仮想化が得られる場合がある。
【００２６】
記憶装置１２２は、接続ヘッドホン１１６の接続ヘッドホン識別子１３８を保持してもよい。接続ヘッドホン識別子１３８を用いることによって、コンピューティング装置１０２は、コンピューティング装置１０２にとって利用可能なヘッドホン１１６のヘッドホン特性１３６を特定することができる。
【００２７】
ヘッドホン１１６を、オーディオプロセッサ１０８を用いることを通して等化して、模擬すべきヘッドホンモデルの測定された振幅応答及び／または他の特性を与えてもよい。したがって、模擬すべきヘッドホンモデルは、ヘッドホンの具体的なモデルであって、応答の特徴付けが、たとえば、検査時のヘッドホン１１６の周波数応答測定値を用いて規定されたヘッドホン特性１３６を用いることによって以前に行われたモデルであってもよい。別の例では、検査すべきヘッドホンモデルは理論上のものであってもよく、ヘッドホン特性１３６を、実際の特徴付ける装置ではない仮想のヘッドホン１１６に対して用いてもよい。
【００２８】
ヘッドホン検査アプリケーション１３４は、接続ヘッドホン１１６セットのヘッドホン特性１３６を、模擬すべきヘッドホン１１６のヘッドホン特性１３６と組み合わせて用いて、接続ヘッドホン１１６と検査すべき模擬されたヘッドホン１１６との間で周波数応答に差を生成してもよい。この周波数応答の差を接続ヘッドホン１１６に（たとえば、ＦＩＲフィルタを介して）適用して、接続ヘッドホン１１６が、模擬されているヘッドホン１１６であるかのように音を出せるようにしてもよい。
【００２９】
ユーザプロファイル１４０は、コンピューティング装置１０２のユーザの種々の詳細を含んでいてもよい。一例では、ユーザプロファイル１４０は、ユーザの認証情報（たとえば、ユーザ名及びパスワード、またはバイオメトリクスたとえば顔認識、指紋、アイスキャン、または声紋）を含んでいてもよい。ユーザプロファイル１４０はさらに、音質選好（たとえば、年齢、性別、リスニング技能、自己評価または既知の難聴、最後の聴力検査の日付、または音楽の好み）に関連し得るバックエンド分析に対して用いられる人口統計情報を含んでいてもよい。
【００３０】
コンピューティング装置１０２の典型的なモジュール化について本明細書で説明しているが、コンピューティング装置１０２の要素をより少ないユニットに組み込んでもよいし、またはいくつかのユニットにもしくは１ユニットにさえ組み合わせてもよいことにも注意されたい。
【００３１】
図２に例示するのは、ヘッドホン検査アプリケーション１３４にログインするためのユーザインターフェース例２００である。一例では、ユーザインターフェース２００を、ヘッドホン検査アプリケーション１３４の作動に対応してコンピューティング装置１０２のディスプレイスクリーン１３２に表示してもよい。
【００３２】
図示するように、ユーザインターフェース２００は、ユーザインターフェース２００が、ヘッドホン検査アプリケーション１３４にログインするためであることを示すラベル２０２を含んでいてもよい。ユーザインターフェース２００はまた、ヘッドホン検査アプリケーション１３４へのログインの方法を選択するための制御セットを含んでいてもよい。これらは、たとえば、ゲストユーザアカウントを選択するためのゲスト制御２０４、新しいユーザアカウントを形成するための新しいユーザ制御２０６、及び既存のユーザ制御２０８を含んでいてもよい。
【００３３】
例示した例では、既存のユーザ制御２０８が選択されている。したがって、ユーザインターフェース２００はユーザ名制御２１０及びパスワード制御２１２（ユーザが既存のユーザの認証情報を入れてもよい）を与える。したがって、ユーザはユーザ名及びパスワードを制御に入れてもよく、次の制御２１４を選択してヘッドホン検査アプリケーション１３４の次のスクリーンに進んでもよい。
【００３４】
別の例として、ゲスト制御２０４を選択してゲストログインを許可すべき場合には、ユーザ名制御２１０及びパスワード制御２１２を取り除くかまたは無効にしてもよく、そしてユーザは単に次の制御２１４を選択してもよい。しかし、ゲストオプションを用いると、ヘッドホン検査アプリケーション１３４は、人口統計、記憶された支払情報、またはユーザに固有の他の情報を用いることができない場合がある。
【００３５】
さらに別の例として、新しいユーザ制御２０６を選択すべき場合には、ユーザインターフェース２００は、ユーザプロファイル１４０情報に対するユーザに対して、システムアカウントを形成するために用いるように促してもよい。この情報は、たとえば、ユーザ名、パスワード、及び人口統計情報であって、音質選好（たとえば年齢、性別、リスニング専門技術、自己評価または既知の難聴／最後の聴力検査の日付、または音楽の好み）に関連し得るバックエンド分析に対して用いられる人口統計情報を含んでいてもよい。
【００３６】
図３に例示するのは、現在接続されているヘッドホン１１６の選択を受け取るためのユーザインターフェース例３００である。一例では、ユーザインターフェース３００を、ユーザインターフェース２００の次の制御２１４をユーザが選択したことに対応して、ヘッドホン検査アプリケーション１３４によってディスプレイスクリーン１３２に表示してもよい。
【００３７】
ユーザインターフェース３００は、ユーザインターフェース３００が、現在接続されているヘッドホン１１６のモデルの選択を受け取るためであることを示すラベル３０２を含んでいてもよい。ユーザインターフェース３００はさらに、ヘッドホンモデルのリストを与えるレプリケータヘッドホン制御３０４を含んでいてもよい。このリストからユーザは、コンピューティング装置１０２に接続されるヘッドホン１１６のモデルを選択し得る。選択に対応して、ヘッドホン検査アプリケーション１３４は、記憶装置１２２に、選択されたヘッドホン１１６モデルに対応する接続ヘッドホン識別子１３８を記憶してもよい。
【００３８】
ユーザインターフェース３００はまた、ユーザがそこから選択し得るヘッドホンモデルまたはカスタムフィルタのリストを与える再生フィルタ制御３０６を含んでいてもよい。リストから選択したモデルまたはフィルタを用いて、ヘッドホン検査アプリケーション１３４はさらに、フィルタまたはモデル設定をヘッドホン１１６の出力に適用してもよい。これはたとえば、いくつかの可能性として、ユーザ選好を考慮するかまたは聴取者の聴覚障害に合わせて調整するために行ってもよい。
【００３９】
したがって、接続されるヘッドホン１１６のモデルが選択されると、ヘッドホン検査アプリケーション１３４は、接続ヘッドホン１１６を再等化して他のモデルのヘッドホン１１６を模擬するときに用いる接続ヘッドホン１１６の応答特性にアクセスすることができるようになる。たとえば、ヘッドホン検査アプリケーション１３４は、接続ヘッドホン識別子１３８に対応するヘッドホン特性１３６、ならびに再生フィルタ制御３０６からの選択に対応するヘッドホン特性１３６を取り出してもよい。ヘッドホン特性１３６の両方のセットに基づいて、ヘッドホン検査アプリケーション１３４は、接続ヘッドホン１１６と検査すべき模擬されたヘッドホン１１６との間で周波数応答に差を生成してもよい。この周波数応答の差を接続ヘッドホン１１６（たとえば、ＦＩＲフィルタを介して）に適用して、接続ヘッドホン１１６が、模擬されているヘッドホン１１６であるかのように音を出せるようにしてもよい。
【００４０】
ユーザインターフェース３００はさらに、発注制御３０８を含んでいてもよい、発注制御３０８は、選択されると、ヘッドホン検査アプリケーション１３４に、レプリケータヘッドホン制御３０４において現在の選択として示されているヘッドホン１１６のセットを購入する発注を開始させる。またユーザインターフェース３００は、発注制御３１０を含んでいてもよい。発注制御３１０は、選択されると、ヘッドホン検査アプリケーション１３４に、再生フィルタ制御３０６において現在の選択として示されているヘッドホン１１６のセットを購入する発注を開始させる（フィルタがヘッドホンモデルであり、対応するヘッドホン１１６モデルがないフィルタ設定ではない場合）。例として、ユーザが新しいユーザまたは既存のユーザとしてログインして、支払情報がログインしたユーザのユーザプロファイル１４０に含まれている場合、支払情報を用いてヘッドホン１１６に対する発注の完了を助けてもよい。
【００４１】
ユーザがレプリケータヘッドホン制御３０４及び再生フィルタ制御３０６から選択したら、ユーザは次の制御３１２を選択して続けてもよい。
【００４２】
図４に例示するのは、行うべきヘッドホン検査のパラメータの選択を受け取るためのユーザインターフェース例４００である。一例では、ユーザインターフェース４００を、ユーザインターフェース３００の次の制御３１２をユーザが選択したことに対応して、ヘッドホン検査アプリケーション１３４によってディスプレイスクリーン１３２に表示してもよい。
【００４３】
ユーザインターフェース４００は、ユーザインターフェース４００がヘッドホン検査のパラメータの選択を受け取るためであることを示すラベル３０２を含んでいてもよい。ユーザインターフェースはさらに、検査すべき物品の数を特定する制御を含んでいてもよい。たとえば、ユーザインターフェース４００は、ヘッドホン検査の間に再生すべき歌または他のオーディオプログラムの数を受け取るように構成されたプログラム数制御４０４、ヘッドホン検査の間にオーディオ再生に適用すべきフィルタ数を受け取るように構成されたフィルタ数制御４０６、及び／またはヘッドホン検査の間に各プログラム及び／またはフィルタを再生すべき回数を受け取るように構成された繰り返し数制御４０８を含んでいてもよい。
【００４４】
ユーザインターフェース４００はさらに、プログラム数制御４０４に入力された数に等しいプログラム選択制御４１０のセットを設けてもよい。たとえば、図示したように、プログラム数制御４０４には数として３が含まれ、３つのプログラム選択制御４１０が表示されている。ユーザはプログラム選択制御４１０を用いて、ヘッドホン検査の間に再生すべき利用可能な歌または他の音クリップの一覧表から選択してもよい。
【００４５】
またユーザインターフェース４００は、フィルタ数制御４０６に入力された数に等しいヘッドホン選択制御４１２のセットを設けてもよい。たとえば、図示したように、フィルタ数制御４０６には数として３が含まれ、３つのヘッドホン選択制御４１２が表示されている。ユーザはヘッドホン選択制御４１２を用いて、ヘッドホン検査の間に模擬すべき利用可能なヘッドホンモデルの一覧表から選択してもよい。
【００４６】
ユーザがプログラム選択制御４１０及びヘッドホン選択制御４１２から選択したら、ユーザは次の制御４１４を選択して続けてもよい。
【００４７】
図５に例示するのは、ヘッドホン１１６選好検査を行うためのユーザインターフェース例５００である。一例では、ユーザインターフェース５００を、ユーザインターフェース４００の次の制御４１４をユーザが選択したことに対応して、ヘッドホン検査アプリケーション１３４によってディスプレイスクリーン１３２に表示してもよい。
【００４８】
ユーザインターフェース５００は、ユーザインターフェース５００がヘッドホン検査を行うためであることを示すラベル５０２を含んでいてもよい。ユーザインターフェース５００はさらに、検査の主観的な結果をヘッドホン検査アプリケーション１３４に与えるためにユーザが用いてもよい制御を含んでいる。例示した例では、ユーザインターフェース５００は、ユーザフィードバック制御５０４のセットを含んでいる。このセットをユーザが用いて、ヘッドホン１１６を通して再生された音クリップに対する好きか嫌いかのレベルを選択してもよい。また好きか嫌いかのレベルをスケール０〜１００として表してもよい。０は最も嫌いで、１００は最も好きである。図示するように、ユーザフィードバック制御５０４はスライダー制御として例示しているが、ノブ、スピナー、または他の形態の制御であって複数の位置を有するものを用いてもよい。またユーザインターフェース５００は、ユーザフィードバック制御５０４を介してなされるユーザ選択に対するコンテキストを与えるユーザフィードバックキー５０６を含んでいる。
【００４９】
ユーザは、検査制御５０８を選択してクリップを再生してもよく、そしてフィードバックに対する値を、対応するユーザフィードバック制御５０４を用いて選択してもよい。たとえば、ユーザは、Ａ検査制御５０８を押圧して第１の検査を聞いて、第１のフィードバック制御５０４を用いて結果を与えてもよく、Ｂ検査制御５０８を押圧して第２の検査を聞いて、第２のフィードバック制御５０４を用いて結果を与えてもよく、Ｃ検査制御５０８を押圧して第３の検査を聞いて、第３のフィードバック制御５０４を用いて結果を与えてもよい。検査制御５０８を選択したことに対応して、ヘッドホン検査アプリケーション１３４は、模擬すべきヘッドホンに対応するＦＩＲ設定を実施してもよく、実施した設定を用いてプログラムを再生してもよい。特に、ユーザインターフェース５００は、検査されているヘッドホン１１６の順序をランダム化することによって、目隠しリスニング検査を実行することができてもよい。したがって、ユーザは、どのヘッドホンがどの検査制御３０８により検査されているかを特定することはできないであろう。またユーザインターフェース５００はソート制御５１０を含んでいてもよい。ソート制御５１０は、選択されると、最も好きから最も好きでない（または逆）の順番に検査結果をソートする。ユーザが検査の実施を完了したら、ユーザは次の制御５１２を選択して続けてもよい。
【００５０】
図６に例示するのは、選好検査の結果を含むレポートを表示するためのユーザインターフェース例６００である。一例では、ユーザインターフェース６００は、ユーザインターフェース５００の次の制御５１２をユーザが選択したことに対応して、ヘッドホン検査アプリケーション１３４によってディスプレイスクリーン１３２に表示してもよい。
【００５１】
ユーザインターフェース６００は、ユーザインターフェース６００がヘッドホン検査の結果を表示するためであることを示すラベル６０２を含んでいてもよい。ユーザインターフェース６００はさらに、検査した模擬されたヘッドホンに対して決定された相対スコアを例示する検査結果６０４を含んでいてもよい。ユーザインターフェース５００において行ったのと同様に、好きか嫌いかのレベルをスケール０〜１００として表してもよい。０は最も嫌いで、１００は最も好きである。一例では、ヘッドホン検査アプリケーション１３４は、格付けした各ヘッドホンに対する平均格付け及び９５％信頼区間を含む検査結果６０４を与える。図示したように、第１のヘッドホン（たとえば、モデル１２３）は平均格付け７０．２で示され、第２のヘッドホン（たとえば、スーバーホン）は平均格付け６１で示され、第３のヘッドホン（たとえば、モデル１２５）は平均格付け５０．２で示されている。また平均格付けを信頼区間表示とともに、例示した例に示す。
【００５２】
検査結果６０４はさらに、ユーザの独自のヘッドホン１１６の音が代替オプションと比べてどのくらい良いかまたは悪いかの表示を含んでいてもよい。いくつかの他の可能性として、検査結果６０４は任意的に、ヘッドホン及びプログラム要因に対する平均平方、Ｆ統計量、及びｐ値を含むデータの分散分析を示す統計表を含んでいてもよい。ヘッドホンＦ統計量は、その評価の判別及び信頼性に基づくその性能の指標であろう。
【００５３】
いくつかの例では、ユーザに任意のプログラム効果とヘッドホン１１６との相互作用とを示してもよい。またユーザの個人データを聴取者の全人口と対照して示して、ユーザがその性能及び嗜好を他のユーザと関連付けられるようにしてもよい。検査結果６０４はさらに、聴取者にヘッドホンＦ統計量に基づく「ＩＱ」を与えてもよい。たとえば、ユーザが自分達の聴取者性能／ヘッドホン選好データを共有することに同意した場合、ヘッドホン検査アプリケーション１３４は、ユーザが、リスニング検査により同様の性能及び／または選好を伴う他のユーザを見出すソーシャルメディア機会を与えてもよい。
【００５４】
ユーザインターフェース６００はまた、発注制御６０６を含んでいてもよい。発注制御６０６は、選択されると、ヘッドホン検査アプリケーション１３４に、レプリケータヘッドホン制御３０４において現在の選択として示されているヘッドホン１１６のセットを購入する発注を開始させる。発注制御６０６は、発注制御３０８及び３１０に関して前述したものと同様に動作してもよいが、その代わりに、検査結果６０４に例示されたヘッドホン１１６のモデルのうちの１つ以上の発注をユーザが選択できるようにしてもよい。ユーザが検査のレビュー及び任意的に任意の所望のヘッドホン１１６の発注を完了したら、ユーザは終了制御６０８を選択して検査を終了してもよい。
【００５５】
図７に例示するのは、接続ヘッドホン１１６の音カスタマイゼーションを行うためのユーザインターフェース例７００である。一例では、ユーザインターフェース７００をヘッドホン検査アプリケーション１３４によってディスプレイスクリーン１３２に表示することを、ヘッドホン検査アプリケーション１３４の音カスタマイゼーション特徴をユーザが選択したことに対応して行ってもよい。
【００５６】
ユーザインターフェース７００は、ユーザインターフェース７００が目標曲線個人化を行うためであることを示すラベル７０２を含んでいてもよい。ユーザインターフェース７００はさらに、接続ヘッドホン１１６の目標応答曲線７０６の説明図を含む周波数グラフ７０４を含んでいてもよい。一例では、目標応答曲線７０６は、接続ヘッドホン１１６のヘッドホン特性１３６に基づく周波数応答を例示してもよい。
【００５７】
ユーザインターフェース７００はさらに、ユーザが目標応答曲線７０６の態様をカスタマイズできるようにするさらなる制御を含んでいてもよい。一例では、ユーザインターフェース７００は、選択されると目標応答曲線７０６の低周波応答を上下に調整する低音域増加７０８及び低音域死亡７１０制御を含んでいてもよい。別の例では、ユーザインターフェース７００は、選択されると目標応答曲線７０６の高周波応答を上下に調整する高音域増加７１２及び高音域死亡７１４制御を含んでいてもよい。ユーザが目標応答曲線７０６に対する調整を完了したら、ユーザは保存制御７１６を選択して設定を保存してもよい。一例では、これらの設定を、ヘッドホン１１６応答を調整するためにヘッドホン１１６に適用することができるカスタムフィルタとして保持してもよい。
【００５８】
またユーザインターフェース７００を用いて、好ましい等化設定を選択する試みを与えてもよい。一例では、コンピューティング装置１０２は、音楽トラックあたり３つ以上の試みを実行する。各試みに対して、低音域及び高音域に対する開始レベルがランダムに設定され、ユーザはこれらの値を好ましい場所に対して設定することが要求される。これらの試みのうちの複数の結果を平均化するかまたは他の方法で比較して、最も好ましい設定を決定することを助けてもよい。
【００５９】
図８に例示するのは、ヘッドホン音質をカスタマイゼーションするためのプロセス例８００である。一例では、プロセス８００を、ヘッドホン検査アプリケーション１３４を実行する図１のコンピューティング装置１０２によって行ってもよい。
【００６０】
８０２において、コンピューティング装置１０２はユーザプロファイル１４０を設定する。一例では、ヘッドホン検査アプリケーション１３４は、ユーザに、新しいアカウント（ユーザ名／パスワード）をセットアップするかまたはそれらの既存のアカウントにログインすることを要求してもよい。たとえば、初めてユーザがヘッドホン検査アプリケーション１３４を実行するときに、ヘッドホン検査アプリケーション１３４はユーザに、アカウントを設定するために種々のユーザ詳細を入力することを促してもよい。これらの詳細は、いくつかの例として、音質選好（たとえば、年齢、性別、リスニング専門技術、自己評価または既知の難聴または最後の聴力検査の日付、及び音楽の好み）に関連し得るバックエンド分析に対して用いられる人口統計情報を含んでいてもよい。これらの詳細はまた、ユーザプロファイル１４０アカウントにログインするためにユーザが用いてもよいユーザ名及びパスワードまたは他の認証情報を含んでいてもよい。一例では、ユーザプロファイル１４０をインターフェース（たとえば、前記で詳述したユーザインターフェース２００）を用いて設定してもよい。
【００６１】
８０４において、コンピューティング装置１０２はユーザのヘッドホンモデルを特定する。一例では、ヘッドホン検査アプリケーション１３４によって、検査を行うために用いるべきヘッドホンの製造元及びモデルをユーザが選択し得る選択が与えられる。ユーザインターフェース３００はこのような選択を受け取るための例を例示している。別の例では、ヘッドホン検査アプリケーション１３４は、コンピューティング装置１０２のハードウェア構成にアクセスしてもよく、またハードウェア構成を介してコンピューティング装置１０２に接続されたヘッドホンのモデルを決定してもよい。いくつかの例では、ヘッドホンはインナーイヤーヘッドホンであってもよく、一方で他の例ではヘッドホンはオーバーイヤーヘッドホンであってもよい。
【００６２】
一例では、コンピューティング装置１０２は、記憶装置１２２に保持されたヘッドホン特性１３６にアクセスして、ヘッドホン１１６に対応するヘッドホン特性１３６がヘッドホン検査アプリケーション１３４にとって利用可能であることを確認してもよい。場合によって、ヘッドホン特性１３６がコンピューティング装置１０２において利用可能でない場合、コンピューティング装置１０２は通信ネットワーク１２６を介してサーバ１２８に、接続ヘッドホン１１６に対応するヘッドホン特性１３６について問い合わせてもよい。
【００６３】
別の可能性では、コンピューティング装置１０２はユーザに、検査を目的としたレプリケータヘッドホン１１６を与えるオプションを提案してもよい。１つの可能性として、ユーザに、検査で用いるレプリケータヘッドホン１１６を発送することを提案してもよい。これは、場合によっては、戻す必要があってもよいし、またはユーザにレプリケータヘッドホン１１６に対して課してもよい。たとえば、ユーザインターフェース３００は、レプリケータヘッドホン１１６を発注してもよい発注制御３０８を設ける。
【００６４】
動作８０６において、コンピューティング装置１０２はヘッドホン１１６に対するヘッドホン特性１３６が利用できるか否かを判定する。ヘッドホン特性１３６が利用できる場合、ヘッドホン仮想化検査を行ってもよく、制御は動作８０８に進む。ヘッドホン特性１３６が利用できない場合、ヘッドホン仮想化検査を行うことはできず、制御は動作８１６に進む。
【００６５】
８０８において、コンピューティング装置１０２は、試聴すべき１つ以上のヘッドホンモデルの選択を受け取る。一例では、ヘッドホン検査アプリケーション１３４のユーザインターフェースによって、購入が考えられているヘッドホンの一覧表が与えられてもよい。ヘッドホン１１６を、パラメータ、たとえばタイプ（たとえば、インナーイヤー、オーバーイヤー、無線など）、価格、重量、及び／または他の基準によって選択してもよい。一例では、再生すべきヘッドホン１１６及びプログラムを、インターフェース（たとえば、前記で詳述したユーザインターフェース４００）を用いて選択してもよい。
【００６６】
８１０において、コンピューティング装置１０２は、試聴すべきヘッドホンモデルに対する選好検査を実行する。一例では、コンピューティング装置１０２は、試聴すべき選択されたヘッドホンモデルの二重盲式リスニング検査を実行する。いくつかの例では、検査はさらに、接続ヘッドホン１１６を、リスニング検査においてヘッドホン１１６の１つとして含むようにデザインされている。いくつかの例では、検査をさらに、レプリケータヘッドホン（または目標）、ならびに低アンカー、不十分な品質のヘッドホンを含むようにデザインする。たとえば、ユーザインターフェース５００は、選好検査を実施してヘッドホン１１６に関するユーザ入力を受け取るための例を示している。また、基準及び低品質ヘッドホンを含むことによって、リスニング検査は、ユーザに音質スケール全体に及ぶ選択範囲を与えて、スケールの一貫した使用を促進してもよい。
【００６７】
８１２において、コンピューティング装置１０２は選好検査による検査結果を与える。検査結果の表示例は、ユーザインターフェース６００に関して前述している。
【００６８】
８１４において、コンピューティング装置１０２は、検査結果に基づいた購入オプションを与える。一例では、コンピューティング装置１０２は、検査で好ましかったヘッドホン１１６を購入するオプションをユーザに与えてもよい。たとえば、コンピューティング装置１０２は、好ましいヘッドホンを購入してもよいインターネットウェブサイトへのリンクを含んでいてもよい。一例では、ユーザインターフェース６００は、検査中に模擬したヘッドホン１１６のモデルを購入する発注制御６０６を与える。または、別の例では、コンピューティング装置１０２が小売店場所にある場合、コンピューティング装置１０２は、ヘッドホン１１６が購入用に記憶装置内で利用可能であるかどうかを示してもよいし、またはユーザがヘッドホンを購入して家に持ち帰ることができるようにしてもよい。
【００６９】
８１６において、コンピューティング装置１０２は、現在接続されているヘッドホン１１６の音質カスタマイゼーションを実行する。一例では、コンピューティング装置１０２は、ユーザに、ヘッドホン１１６の音のカスタマイズを、ユーザが音楽の抜粋曲を聴きながら好みにより低音域及び高音域レベルを調整するという一連の試みを通して行うオプションを与えてもよい。
【００７０】
一例では、コンピューティング装置１０２は、音楽トラックあたり３つ以上の試みを実行する。各試みに対して、ユーザに低音域及び高音域制御が与えられ、低音域及び高音域の開始レベルはランダムに設定されている。制御を用いることを通して、ユーザはレベル調整をユーザが音に満足するまで行う。１つの可能性として、低音域レベル調整を、二次の低周波シェルフィルタを１２５Ｈｚに設定して（＋１２〜−６ｄＢの範囲に及ぶ）行ってもよく、一方で、高音域レベル調整を、二次の高周波シェルフィルタを１．５ｋＨｚに設定して行ってもよい。一例では、ユーザインターフェース７００をこのような試みを行うために用いてもよい。
【００７１】
検査を終えた後で、ユーザに結果のグラフを与えて、９５％信頼区間を含む平均の好ましい低音域及び高音域レベルを示してもよい。聴取者がフィルタを０ｄＢに設定した場合、これは接続ヘッドホン１１６の音をユーザがそのまま好むことを意味し、さらなる変化またはカスタマイゼーションは何ら必要でない。他方で、ユーザが低音域及び高音域に対して著しいレベル変化を好む場合、これは接続ヘッドホン１１６の音をユーザの選好に合わせて最適化すべきという証拠である。
【００７２】
さらに、検査からのデータをコンピューティング装置１０２によってサーバ１２８に送って、低音域及び高音域調整をどのくらい行ったかに基づくヘッドホンに対する分析をサーバ１２８に与えてもよい。サーバ１２８はさらに、人口統計（年齢、性別など）及び難聴が、ヘッドホンにおける好ましい低音域及び高音域ゲインにどのくらい影響し得るかを洞察してもよい。動作８１８の後に、プロセス８００は終了する。
【００７３】
本明細書で説明したコンピューティング装置は全般的に、コンピュータ実行可能命令を含んでおり、命令は１つ以上のコンピューティング装置（たとえば前述で列記したもの）によって実行可能であってもよい。コンピュータ実行可能命令は、種々のプログラミング言語及び／または技術を用いて形成されたコンピュータプログラムからコンパイルまたはインタープリットしてもよい。プログラミング言語及び／または技術は、たとえば、限定することなく、単独でまたは組み合わせて、Ｊａｖａ（登録商標）、Ｃ、Ｃ＋＋、Ｖｉｓｕａｌ  Ｂａｓｉｃ、Ｊａｖａ  Ｓｃｒｉｐｔ（登録商標）、Ｐｅｒｌなどである。全般的に、プロセッサ（たとえば、マイクロプロセッサ）は命令を、たとえばメモリ、コンピュータ可読媒体などから受け取って、これらの命令を実行し、その結果、１つ以上のプロセス（本明細書で説明したプロセスの１つ以上を含む）を行う。このような命令及び他のデータを、種々のコンピュータ可読媒体を用いて記憶及び送信してもよい。
【００７４】
本明細書で説明するプロセス、システム、方法、ヒューリスティックスなどに関して、このようなプロセスなどのステップは特定の順序列に従って行うと説明してきたが、このようなプロセスは、記載したステップを本明細書で説明した順序以外の順序で行っても実行できることを理解されたい。さらに当然のことながら、特定のステップを同時に行うことができ、他のステップを加えることができ、または本明細書で説明した特定のステップを省略することができる。言い換えれば、本明細書におけるプロセスの説明は、特定の実施形態を例示する目的で示しており、請求項を限定するためであると決して解釈してはならない。
【００７５】
典型的な実施形態について前述したが、これらの実施形態が本発明のすべての可能な形態を記載することは意図していない。むしろ、明細書で用いた言葉は限定ではなく説明の言葉であり、当然のことながら本発明の趣旨及び範囲から逸脱することなく種々の変形を行ってもよい。さらに、種々の実施形態の特徴を組み合わせて、本発明のさらなる実施形態を形成してもよい。
【図１】
2019103143.tif 000002
【図２】
2019103143.tif 000003
【図３】
2019103143.tif 000004
【図４】
2019103143.tif 000005
【図５】
2019103143.tif 000006
【図６】
2019103143.tif 000007
【図７】
2019103143.tif 000008
【図８】
2019103143.tif 000009